(57)【要約】【課題】洗浄ノズルによる洗浄開始・停止等を行うスイッチを取り付けた絶縁性基板を内蔵し、スイッチの手動操作部を上面に備えた本体が便座の側方に配置された温水洗浄便座装置があり、本体内は、温水供給源等の温度によって加温され、本体内部の温度とその周囲温度が低い場合の両方の温度差によって、本体内部に結露水を生じ、この結露水が基板に滴下して、基板に取り付けたスイッチの接点から延びる端子部材間が短絡し、誤動作の原因となる。本発明は、この誤動作を防止する技術を提供する。【解決手段】おしり洗浄開始スイッチ、ビデ洗浄開始スイッチ、及び洗浄停止スイッチを取り付けた絶縁性基板を内蔵し前記各スイッチの手動操作部を上面に備えた制御ボックスを便座の側方に配置し、各スイッチは、互いに所定間隔を置いて配置され基板にハンダ付け接続される一対の固定側端子部材と、手動操作部の押し圧によって固定側端子部材を短絡する短絡部材とを備え、基板の固定側端子部材間にスリット状の水抜き孔を貫通形成。【選択図】図３
2009221655.tif 000002
【特許請求の範囲】
【請求項１】
おしり（肛門）洗浄ノズルによる洗浄開始スイッチ、ビデ洗浄ノズルによる洗浄開始ス
イッチ、及び洗浄停止スイッチを取り付けた絶縁性基板を内蔵し前記各スイッチの手動操
作部を上面に備えた制御ボックスを便座の側方に配置した温水洗浄便座装置において、前
記各スイッチは、互いに所定間隔を置いて配置され前記基板にハンダ付け接続される一対
の固定側端子部材と、前記手動操作部の押し圧によって前記固定側端子部材を短絡する短
絡部材とを備え、前記基板の前記固定側端子部材間にスリット状の水抜き孔を貫通形成し
たことを特徴とする温水洗浄便座装置。
【発明の詳細な説明】
【技術分野】
【０００１】
本発明は、洗浄ノズルによる洗浄開始、洗浄停止等を行うスイッチを取り付けた基板を
内蔵し前記スイッチの手動操作部を上面に備えた制御ボックスを便座の側方に配置した温
水洗浄便座装置に関する。
【背景技術】
【０００２】
従来の温水洗浄便座装置として、洗浄ノズル６１、６２による洗浄開始、洗浄停止等を
行うスイッチ３７を取り付けた絶縁性基板３６を内蔵し、前記スイッチ３７の手動操作部
２０、２１、２２を上面に備えた本体１０が、便座８１の側方に配置された温水洗浄便座
装置がある。（特許文献１参照）。
【特許文献１】特開平１１−１８１８６０号公報
【発明の開示】
【発明が解決しようとする課題】
【０００３】
このようにスイッチ３７を取り付けた基板３６を内蔵した本体１０内は、温水供給源等
の温度によって加温されるため、この本体１０内部の温度に比してその周囲温度が低い場
合には、その両方の温度差によって、本体１０内部に結露を生じることがある。基板３６
にはスイッチ３７が取り付けられており、本体１０内部面の結露水がこの基板に滴下して
、基板に取り付けたスイッチの接点から延びる端子部材間が短絡し、スイッチが操作され
ないにも拘わらず、このスイッチが操作されたことと同じ状況が発生し、所謂、誤動作の
原因となる。この誤動作の一つとして、前記スイッチが洗浄開始スイッチであれば、この
洗浄開始スイッチの端子部材間が結露水によって短絡した状態において、便座に着座した
とき着座検出スイッチが動作するため、便座に着座した途端に、洗浄ノズルが作動して洗
浄ノズルから洗浄水が噴出する事態が生じることとなる。
【０００４】
従来、基板の防水対策として、スイッチと基板全体をプラスチックフィルムでカバーす
る方法や、スイッチと基板全体をエポキシ樹脂等でモールドする方法がある。また他の方
法として、水を吸収しないエポキシ樹脂系の基板を採用し、この基板に取り付けられるス
イッチを防水スイッチとする方法があるが、この場合でも、この防水スイッチから外部へ
延びて基板に取り付けられる端子部材間が水で短絡する場合があるため、この防止策とし
て、この防水スイッチと基板との隙間をスイッチの端子部材間絶縁用のリコン樹脂で埋め
る防水構造とする方法等が採られている。しかし、このような基板全体をプラスチックフ
ィルムでカバーする対策では、周囲温度が低い場合にプラスチックフィルム内の空気中の
湿気が水滴となり、この水滴が基板に滴下して、基板に取り付けたスイッチの接点から延
びる端子部材間が短絡する虞がある。また、スイッチと基板全体をエポキシ樹脂等でモー
ルドする防水対策や、スイッチの端子部材間をリコン樹脂で埋める防水対策は、コストア
ップとなる問題がある。
【０００５】
本発明は、このような防水対策に替えて、簡単な構成でもって結露水によってスイッチ
の端子部材間の短絡が生じないようにするものであり、それによって、高価なエポキシ樹
脂系の基板でなく、安価な紙フェノール系の基板であっても、十分防水効果が得られるも
のとする。
【課題を解決するための手段】
【０００６】
本発明は、おしり（肛門）洗浄ノズルによる洗浄開始スイッチ、ビデ洗浄ノズルによる
洗浄開始スイッチ、及び洗浄停止スイッチを取り付けた絶縁性基板を内蔵し前記各スイッ
チの手動操作部を上面に備えた制御ボックスを便座の側方に配置した温水洗浄便座装置に
おいて、前記各スイッチは、互いに所定間隔を置いて配置され前記基板にハンダ付け接続
される一対の固定側端子部材と、前記手動操作部の押し圧によって前記固定側端子部材を
短絡する短絡部材とを備え、前記基板の前記固定側端子部材間にスリット状の水抜き孔を
貫通形成したことを特徴とするものである。
【発明の効果】
【０００７】
本発明は、おしり（肛門）洗浄ノズルによる洗浄開始スイッチ、ビデ洗浄ノズルによる
洗浄開始スイッチ、及び洗浄停止スイッチを取り付けた絶縁性基板が制御ボックスに内蔵
されており、各スイッチの固定側端子部材間に穿孔したスリット状の水抜き孔によって、
これらの各固定側端子部材相互が分離されるため、スイッチと基板との間に侵入する結露
水は勿論のこと、スイッチのハウジングの外面から流下する露も、速やかにスリット状の
水抜き孔から流下するため、固定側端子部材の短絡防水対策が良好となるものとなる。こ
のため、従来のように、基板全体をプラスチックフィルムでカバーする防水対策や、スイ
ッチと基板全体をエポキシ樹脂等でモールドする防水対策や、スイッチの端子間をリコン
樹脂で埋める防水対策に比して、簡単な構成となり、低コスト化できるものとなり、基板
の種類に拘わらず防水対策が容易となるものである。
【発明を実施するための最良の形態】
【０００８】
本発明の温水洗浄便座装置は、おしり（肛門）洗浄ノズルによる洗浄開始スイッチ、ビ
デ洗浄ノズルによる洗浄開始スイッチ、及び洗浄停止スイッチを取り付けた絶縁性基板を
内蔵し前記各スイッチの手動操作部を上面に備えた制御ボックスを便座の側方に配置した
温水洗浄便座装置において、前記各スイッチは、互いに所定間隔を置いて配置され前記基
板にハンダ付け接続される一対の固定側端子部材と、前記手動操作部の押し圧によって前
記固定側端子部材を短絡する短絡部材とを備え、前記基板の前記固定側端子部材間にスリ
ット状の水抜き孔を貫通形成したものであり、本発明の実施例を以下に記載する。
【実施例１】
【０００９】
本発明の実施形態について説明する。図１は本発明に係る温水洗浄便座装置の蓋が閉ま
った状態の斜視図、図２は本発明に係る温水洗浄便座装置の蓋と機能部分のカバーを取り
外した状態の機能部分と制御ボックス内を示す正面斜視図、図３は本発明に係る制御ボッ
クスとスイッチの縦断正面図、図４は本発明に係る水抜き孔とスイッチとの関係を示す説
明用平面図、図５は本発明に係る制御ボックスに収納された基板にスイッチを取り付けた
状態の平面図、図６は本発明に係る水抜き孔とスイッチの端子部材との関係を示す基板（
導電性印刷パターンを省略した状態）の裏面図である。
【００１０】
図において、１は本発明の温水洗浄便座装置を示しており、裏側から絶縁被覆されたコ
ードヒータ（図示せず）で加温される便座２と、便座２の上面を覆う開閉蓋３と、便座２
及び開閉蓋３の後方には、後述の機能部１０を配置すると共に便座２及び開閉蓋３を開閉
回動可能に支持する基材部８を備えている。基材部８には、洗浄ノズルとして便座２の後
部下側へ延びるおしり（肛門）洗浄用ノズル４Ａとビデ洗浄用ノズル４Ｂ、温水タンク５
、及び電装部６等の機能部１０が配設されている。基材部８には、便座２の側方（図では
右側）に配置した制御ボックス３０が連結されており、制御ボックス３０は、おしり（肛
門）洗浄用ノズル４Ａとビデ洗浄用ノズル４Ｂによる洗浄開始、洗浄停止等を行うスイッ
チＳＷを取り付けた絶縁性基板３１を内蔵し、前記スイッチＳＷの手動操作部３２を上面
に備えている。
【００１１】
便座２は、基材部８に取り付けた電動機装置１２によって往復回転する回転軸１３と従
動軸２４に取り付けられて、便座２が上方に開閉回動可能である。蓋３は、基材部８に支
持部材を介して取り付けた電動機装置９によって往復回転する回転軸１１に取り付けられ
て、蓋３が上方に開閉回動可能である。
【００１２】
洗浄水として温水タンク５へ供給される水道水は、パイプジョイント装置１４によって
水道水配管に接続された導水管に取り付けたごみ取り用のストレーナと逆止弁を通過した
後、電磁弁と減圧弁を順次通り温水タンク５内の底部へ供給され、シーズヒータにより温
水タンク５内で温水となる。温水タンク５の上壁には、温水タンク５内の異常温度を検知
して前記シーズヒータへの通電回路を遮断する温度検知部２１と、温水タンク５内の洗浄
水レベルを検知して前記電磁弁を開閉制御して、温水タンク５内の洗浄水レベルを所定レ
ベルに制御するフロートスイッチ２２と、温水タンク５内の圧力が外気圧よりも低くなっ
たとき温水タンク５内と外気を連通する負圧弁を備えた気圧調整部２３が設けられている
。
【００１３】
機能部１０を覆うようにカバー７が基材部８に着脱自在に取り付けられており、このカ
バー７に一体または別体に制御ボックス３０の上面を覆うカバー３３が設けられている。
絶縁性基板３１に取り付けたスイッチＳＷは、実施例では、おしり（肛門）洗浄開始スイ
ッチ３４、ビデ洗浄開始スイッチ３５、洗浄停止スイッチ３６、洗浄水の水勢調節スイッ
チ３７、３８等であるが、その他の機能スイッチＸ、ＹやＬＥＤ等を取り付けるものもあ
る。
【００１４】
通常では、便座の着座検出スイッチが動作しておれば、おしり（肛門）洗浄開始スイッ
チ３４がＯＮした状態でおしり（肛門）洗浄用ノズル４Ａが進出し、温水タンク５内の温
水の洗浄水がおしり（肛門）洗浄用ノズル４Ａから噴出され、また、ビデ洗浄開始スイッ
チ３５がＯＮした状態でビデ洗浄用ノズル４Ｂが進出し、温水タンク５内の温水の洗浄水
がビデ洗浄用ノズル４Ｂから噴出される。このような状態において、水勢調節スイッチ３
７をＯＮするごとに水性が強くなり、また、水勢調節スイッチ３８をＯＮするごとに水性
が弱くなるように、洗浄用ノズル４Ａ、４Ｂから噴出される水勢が調節可能である。基材
部８には、これらの他に、コードヒータ（図示せず）で加温される便座２を加温する前記
コードヒータのＯＮ−ＯＦＦスイッチ、前記コードヒータの発熱量の調節スイッチ、温水
タンク５の加熱用シーズヒータのＯＮ−ＯＦＦスイッチ、表示用ＬＥＤ等が取り付けられ
るものもある。
【００１５】
上面開口の制御ボックス３０内には、図３に示すように、前記各スイッチ３４〜３８を
構成するスイッチＳＷを取り付けた絶縁性基板３１が支持部３９にネジ３９Ｎによって略
水平状態に取り付けられており、制御ボックス３０の上面開口は、カバー３３で覆われて
いる。カバー３３の上面は手動操作部３２を構成する可撓性薄板４１で覆われている。
【００１６】
前記のスイッチＳＷの構成としては種々のものがあるが、一つの構成として、図３並び
に図４に示すように、合成樹脂製のハウジング５０内に、一対の固定側接点部５７Ａ、５
７Ｂと、手動操作部３２の押し圧によって可動するように上部がカバー３３とハウジング
５０の上面開口を塞ぐカバー５０Ａとに連通形成した貫通孔３３Ａに挿通されたステム（
作動体）５２と、このステム（作動体）５２を常時上方へ付勢する板バネで形成された可
動側接点部を構成する短絡部材５６と、一対の固定側接点部５７Ａ、５７Ｂから延びる一
対の固定側端子部材５８Ａ、５８Ｂを備え、各端子部材５８Ａ、５８Ｂが離間して基板３
１の下面に形成した導電性印刷パターン５１Ａ、５１Ｂにハンダ５１Ｈにて接続されてい
る。
【００１７】
図３に示したスイッチＳＷは、後述のように、短絡部材５６によって電気的にＯＮ−Ｏ
ＦＦされるスイッチ動作を安定化させるために、具体的には図４に示す配置構成である。
図４において、一対の固定側接点部５７Ａ、５７Ｂは棒状に形成され、固定側接点部５７
Ａの両端部から端子部材５８Ａを構成する端子部材５８Ａ１と５８Ａ２が延び、また固定
側接点部５７Ｂの両端部から端子部材５８Ｂを構成する端子部材５８Ｂ１と５８Ｂ２が延
びている。そして、端子部材５８Ａ１と５８Ａ２が基板３１を貫通して、基板３１の下面
に形成した導電性印刷パターン５１Ａにそれぞれハンダ５１Ｈにて接続されており、また
、端子部材５８Ｂ１と５８Ｂ２が基板３１を貫通して、基板３１の下面に形成した導電性
印刷パターン５１Ｂにそれぞれハンダ５１Ｈにて接続されている。
【００１８】
このような構成によって、手動操作部３２が押し圧されない状態（待機状態）では、短
絡部材５６は一対の固定側接点部５７Ａ、５７Ｂから離れた上方位置にある。この状態に
おいて、手動操作部３２の押し圧によって、ステム（作動体）５２が短絡部材５６をその
バネ力に抗して下方へ撓ませ、それによって短絡部材５６が一対の固定側接点部５７Ａ、
５７Ｂに当接して、固定側接点部５７Ａ、５７Ｂを短絡する。これによって、導電性印刷
パターン５１Ａ、５１Ｂを介してスイッチＳＷに接続された制御部（図示せず）が動作す
る。このスイッチＳＷが、例えばおしり（肛門）洗浄開始スイッチ３４であるとすれば、
便座の着座検出スイッチが動作しておれば、おしり（肛門）洗浄開始スイッチ３４の作動
によって、おしり（肛門）洗浄用ノズル４Ａが進出して洗浄水が噴出される。また、この
スイッチＳＷが、例えばビデ洗浄開始スイッチ３５であるとすれば、便座の着座検出スイ
ッチが動作しておれば、ビデ洗浄開始スイッチ３５の作動によって、ビデ洗浄用ノズル４
Ｂが進出して洗浄水が噴出されるように動作する。
【００１９】
制御ボックス３０内は、温水タンク５等の温水供給源等の温度によって加温される空気
によって加温され、制御ボックス３０内の温度に比してその周囲温度が低い場合には、そ
の両方の温度差によって、制御ボックス３０内に結露水を生じる虞があり、この結露水が
この基板３１に滴下して、基板３１とスイッチＳＷとの隙間に侵入し、基板３１に取り付
けたスイッチＳＷの一対の端子部材５８Ａ、５８Ｂ間が短絡される虞がある。本発明は、
これを回避するために、少なくとも、おしり（肛門）洗浄開始スイッチ３４の一対の固定
側端子部材５８Ａと５８Ｂ、並びにビデ洗浄開始スイッチ３５の一対の固定側端子部材５
８Ａと５８Ｂが、結露水による短絡から防止できるようにするために、水抜き孔５５を固
定側端子部材５８Ａと５８Ｂ間の基板３１に貫通形成している。
【００２０】
この水抜き孔５５は、結露水の表面張力が切れる大きさであり、この水抜き孔５５は、
図４に示すように、スイッチＳＷの直下に形成され、スイッチＳＷのハウジング５０より
もはみ出す程度に長い長さのスリット状に形成されている。
【００２１】
具体的には、図４で明らかなように、固定側端子部材５８Ａが接続された導電性印刷パ
ターン５１Ａと固定側端子部材５８Ｂが接続された５１Ｂは、スイッチＳＷの左右両側に
沿って略平行に長く形成されており、水抜き孔５５は、導電性印刷パターン５１Ａと導電
性印刷パターン５１Ｂとの間において、スイッチＳＷの直下に、導電性印刷パターン５１
Ａ、５１Ｂに沿って長く形成され、その長さは、スイッチＳＷのハウジング５０よりもは
み出す程度に長い長さのスリット状に形成されている。
【００２２】
水抜き孔５５は、その長さ及び幅のいずれも、結露水の表面張力が切れて速やかに下方
へ流下する作用をする大きさである。このため、スイッチＳＷと基板３１との間に侵入す
る結露水は勿論のこと、スイッチＳＷのハウジング５０の側面から流下する露も、速やか
にスリット状の水抜き孔５５から流下するため、固定側端子部材５８Ａ、５８Ａの短絡か
ら防止できるものとなり、結露水で短絡される誤動作の防止効果も良好となる。
【００２３】
スイッチＳＷの構成は他の構成でも差し支えなく、所謂、手動操作部３２の押し圧によ
ってステム（作動体）が下動し、それによって一対の固定側接点が短絡部材によって短絡
される構成であれば、本発明の目的は達成できる。
【実施例２】
【００２４】
図７には、他の構成を示している。実施例１と同様部分には実施例１と同一符号を付し
ている。図７において、スイッチＳＷは、図３に示すものと同様であり、基板３１の上面
に取り付けた合成樹脂製のハウジング４０内に収納されている。ハウジング４０内のスイ
ッチＳＷの上方には、スイッチＳＷを作動する第１ステム（第１作動体）４２が収納され
ている。第１ステム（第１作動体）４２は、スイッチＳＷと第１ステム（第１作動体）４
２との間でハウジング４に取り付けたゴム製の弾性部材４３で上方へ付勢され、第１ステ
ム（第１作動体）４２の上部がハウジング４０内から上方に突出し、カバー３３の貫通孔
３３Ａから可撓性薄板４１の手動操作部３２の下面に当接または近接状態に臨んでいる。
【００２５】
スイッチＳＷは、図３に示すものと同様に、ステム（作動体）５２と同様の第２ステム
（第２作動体）５２がハウジング５０内に設けられ、第２ステム（第２作動体）５２の上
部が弾性部材４３の下面に当接または近接状態に臨んでいる。
【００２６】
このような構成によって、手動操作部３２が押し圧されない状態（待機状態）では、短
絡部材５６は一対の固定側接点部５７Ａ、５７Ｂから離れた上方位置にある。この状態に
おいて、手動操作部３２の押し圧によって、第１ステム（第１作動体）４２が下方へ押さ
れ、且つ弾性部材４３を介して第２ステム（第２作動体）５２が下方へ押され、それによ
って、第２ステム（第２作動体）５２が短絡部材５６をそのバネ力に抗して下方へ撓ませ
、それによって短絡部材５６が一対の固定側接点部５７Ａ、５７Ｂを短絡する。これによ
って、導電性印刷パターン５１Ａ、５１Ｂを介してスイッチＳＷに接続された制御部（図
示せず）が動作する。このスイッチＳＷが、例えばおしり（肛門）洗浄開始スイッチ３４
であるとすれば、便座の着座検出スイッチが動作しておれば、おしり（肛門）洗浄開始ス
イッチ３４の作動によって、おしり（肛門）洗浄用ノズル４Ａが進出して洗浄水が噴出さ
れる。また、このスイッチＳＷが、例えばビデ洗浄開始スイッチ３５であるとすれば、便
座の着座検出スイッチが動作しておれば、ビデ洗浄開始スイッチ３５の作動によって、ビ
デ洗浄用ノズル４Ｂが進出して洗浄水が噴出されるように動作する。
【００２７】
制御ボックス３０内は、温水タンク５等の温水供給源等の温度によって加温される空気
によって加温され、制御ボックス３０内の温度に比してその周囲温度が低い場合には、そ
の両方の温度差によって、制御ボックス３０内に結露水を生じる虞があり、この結露水が
この基板３１に滴下して、基板３１とスイッチＳＷとの隙間に侵入し、基板３１に取り付
けたスイッチＳＷの一対の端子部材５８Ａ、５８Ｂ間が短絡される虞がある。本発明は、
これを回避するために、少なくとも、おしり（肛門）洗浄開始スイッチ３４の一対の固定
側端子部材５８Ａと５８Ｂ、並びにビデ洗浄開始スイッチ３５の一対の固定側端子部材５
８Ａと５８Ｂが、結露水による短絡から防止できるようにするために、水抜き孔５５を固
定側端子部材５８Ａと５８Ｂ間の基板３１に貫通形成している。
【００２８】
この水抜き孔５５は、結露水の表面張力が切れる大きさであり、この水抜き孔５５は、
実施例１に示すものと同様に、スイッチＳＷの直下に形成され、その長さ及び幅のいずれ
も、結露水の表面張力が切れて速やかに下方へ流下する作用をする大きさであり、実施例
１に示す状態と同様に形成すればよい。
【産業上の利用可能性】
【００２９】
本発明は、上記実施例に示した構成に限定されず、種々の形態の温水洗浄便座装置に適
用できるものであり、本発明の技術範囲において種々の形態を包含するものである。
【図面の簡単な説明】
【００３０】
【図１】本発明に係る温水洗浄便座装置の蓋が閉まった状態の斜視図である。（実施例１）
【図２】本発明に係る温水洗浄便座装置の蓋と機能部分のカバーを取り外した状態の機能部分と制御ボックス内を示す正面斜視図である。（実施例１）
【図３】本発明に係る制御ボックスの縦断正面図である。（実施例１）
【図４】本発明に係る水抜き孔とスイッチとの関係を示す説明用平面図である。（実施例１）
【図５】本発明に係る制御ボックスに収納された基板にスイッチを取り付けた状態の平面図である。（実施例１）
【図６】本発明に係る水抜き孔とスイッチの端子部材との関係を示す基板（導電性印刷パターンを省略した状態）の裏面図である。（実施例１）
【図７】スイッチ作動構成が異なる本発明に係る他の構成を示す制御ボックスの縦断正面図である。（実施例２）
【符号の説明】
【００３１】
１・・・・・温水洗浄便座
２・・・・・便座
３・・・・・開閉蓋
４Ａ・・・・おしり洗浄用ノズル
４Ｂ・・・・ビデ洗浄用ノズル
５・・・・・温水タンク
７・・・・・カバー
８・・・・・基材部
９・・・・・電動機装置
１０・・・・機能部
１２・・・・電動機装置
３０・・・・制御ボックス
３１・・・・絶縁性基板
３３・・・・カバー
３４・・・・おしり（肛門）洗浄開始スイッチ
３５・・・・ビデ洗浄開始スイッチ
３６・・・・洗浄停止スイッチ
３７、３８・・・洗浄水の水勢調節スイッチ
４０・・・・ハウジング
４２・・・・第１ステム（第１作動体）
５０・・・・合成樹脂製のハウジング
５２・・・・ステム（作動体）または第２ステム（第２作動体）
５５・・・・水抜き孔
５６・・・・短絡部材
５７Ａ、５７Ｂ・・・固定側接点部
５８Ａ、５８Ｂ・・・固定側端子部材
ＳＷ・・・・スイッチ
【図１】
2009221655.tif 000003
【図２】
2009221655.tif 000004
【図３】
2009221655.tif 000005
【図４】
2009221655.tif 000006
【図５】
2009221655.tif 000007
【図６】
2009221655.tif 000008
【図７】
2009221655.tif 000009